(57)【特許請求の範囲】
【請求項１】
水道に接続された低温水経路と、高温水経路と、低温水経路からの水と高温水経路からの水を混合して出水する混合栓と、低温水経路に設けられた低温水逆止弁と、高温水経路に設けられた高温水逆止弁を備える水栓ユニットに接続して使用される給湯器であって、
貯湯槽と、
水道と貯湯槽の間を接続する給水経路と、
給水経路に設けられた減圧弁と、
貯湯槽と高温水経路の間を接続する給湯経路と、
減圧弁より下流側の給水経路から分岐して、給湯経路に合流する混合給水経路を備えており、
給湯経路の混合給水経路との合流部よりも上流側に、第１逆止弁が設けられており、
混合給水経路に第２逆止弁が設けられており、
給水経路の混合給水経路との分岐部よりも下流側に、第３逆止弁が設けられている給湯器。
【請求項２】
給湯経路の第１逆止弁よりも上流側に、リリーフ弁を有する圧力開放経路が接続されている請求項１の給湯器。
【発明の詳細な説明】
【技術分野】
【０００１】
本発明は、給湯器に関する。
【背景技術】
【０００２】
特許文献１に、水道に接続された低温水経路と、高温水経路と、低温水経路からの水と高温水経路からの水を混合して出水する混合栓と、低温水経路に設けられた低温水逆止弁と、高温水経路に設けられた高温水逆止弁を備える水栓ユニットに接続して使用される給湯器が開示されている。この給湯器は、貯湯槽と、水道と貯湯槽の間を接続する給水経路と、貯湯槽と高温水経路の間を接続する給湯経路と、給水経路から分岐して給湯経路に合流する混合給水経路を備えている。
【先行技術文献】
【特許文献】
【０００３】
【特許文献１】特開２００５−３３７６７３号公報
【発明の概要】
【発明が解決しようとする課題】
【０００４】
多くの場合、上記のような給湯器では、貯湯槽の耐圧を確保するため、給水経路に減圧弁を設けている。このような場合、貯湯槽と、給水経路と、給湯経路と、混合給水経路の水圧は、減圧弁によって水道の給水圧よりも減圧された水圧となる。このような構成において、水栓ユニットの高温水逆止弁に故障が生じると、低温水経路からの水道の給水圧により、高温水経路を介して給湯器の給湯経路に水が逆流して、給湯経路から貯湯槽に水が逆流するおそれがある。さらに、貯湯槽から給水経路へ水が逆流し、また給湯経路から混合給水経路へ水が逆流することで、これらの配管内に想定とは異なる温度の水が滞留してしまうおそれがある。
【０００５】
本明細書は、上記の課題を解決する技術を提供する。本明細書は、給湯器が接続する水栓ユニットの高温水逆止弁が故障した場合でも、給湯器の内部における水の逆流を防止することが可能な技術を提供する。
【課題を解決するための手段】
【０００６】
本明細書は給湯器を開示する。その給湯器は、水道に接続された低温水経路と、高温水経路と、低温水経路からの水と高温水経路からの水を混合して出水する混合栓と、低温水経路に設けられた低温水逆止弁と、高温水経路に設けられた高温水逆止弁を備える水栓ユニットに接続して使用される。その給湯器は、貯湯槽と、水道と貯湯槽の間を接続する給水経路と、給水経路に設けられた減圧弁と、貯湯槽と高温水経路の間を接続する給湯経路と、減圧弁より下流側の給水経路から分岐して給湯経路に合流する混合給水経路を備えている。その給湯器では、給湯経路の混合給水経路との合流部よりも上流側に第１逆止弁が設けられており、混合給水経路に第２逆止弁が設けられており、給水経路の混合給水経路との分岐部よりも下流側に第３逆止弁が設けられている。
【０００７】
上記の給湯器では、給湯経路の混合給水経路との合流部よりも上流側に第１逆止弁が設けられている。これによって、水栓ユニットの高温水逆止弁が故障した場合でも、給湯経路における水の逆流を防止し、給湯経路から貯湯槽への水の逆流を防止することができる。さらに、上記の給湯器では、混合給水経路に第２逆止弁が設けられており、給水経路の混合給水経路との分岐部よりも下流側に第３逆止弁が設けられている。第１逆止弁、第２逆止弁および第３逆止弁が設けられていることで、給湯経路から混合給水経路への水の逆流や、貯湯槽から給水経路への水の逆流を防止し、これらの配管内の水温が想定とは異なるものとなってしまう事態を防ぐことができる。
【０００８】
上記の給湯器は、給湯経路の第１逆止弁よりも上流側に、リリーフ弁を有する圧力開放経路が接続されている場合に、特に有用である。
【０００９】
給湯経路にリリーフ弁を有する圧力開放経路が接続されている場合、給湯経路を水道の給水圧で水が逆流すると、圧力開放経路のリリーフ弁が開いて、圧力開放経路から水が漏洩し続けるおそれがある。上記の給湯器によれば、給湯経路の圧力開放経路の接続部よりも下流側に第１逆止弁が配置されているので、給湯経路における水の逆流を防止し、圧力開放経路からの水の漏洩を防止することができる。
【発明の効果】
【００１０】
本明細書が開示する技術によれば、給湯器が接続する水栓ユニットの高温水逆止弁が故障した場合でも、給湯器の内部における水の逆流を防止することができる。
【図面の簡単な説明】
【００１１】
【図１】実施例の給湯システム１０の構成を模式的に示す図である。
【発明を実施するための形態】
【００１２】
（実施例）
図１は、本発明の一実施形態に係る給湯システム１０を示している。給湯システム１０は、貯湯ユニット２０とヒートポンプ（ＨＰ）熱源ユニット４０とガス熱源ユニット５０とコントローラ１１とを備えている。
【００１３】
ＨＰ熱源ユニット４０では、圧縮機４１の吐出側と四方弁４２と第１熱交換器４３の冷媒流路４３ａと膨張弁４４と第２熱交換器４５と四方弁４２と圧縮機４１の吸入側が、冷媒配管４６によって順に接続されており、ＨＰ冷媒がこの順に循環する。ＨＰ冷媒は、例えばＲ７４４（ＣＯ２冷媒）であってもよいし、Ｒ４１０Ａ（ＨＦＣ冷媒）であってもよい。第１熱交換器４３は、冷媒流路４３ａと循環水流路４３ｂとを備えている。第２熱交換器４５の近傍にはファン４５ａが設置されている。第２熱交換器４５は、ファン４５ａによって送られる外気とＨＰ冷媒との間で熱交換を行う。冷媒配管４６には、圧縮機４１の吐出側と四方弁４２との間と、膨張弁４４と第２熱交換器４５との間に、除霜経路４７が接続されている。除霜経路４７には、除霜弁４７ａが設けられている。
【００１４】
第１熱交換器４３の循環水流路４３ｂの入口側には循環往路接続経路４８が接続されており、出口側には循環復路接続経路４９が接続されている。循環往路接続経路４８には、入口側サーミスタ４８ａが設けられており、循環復路接続経路４９には出口側サーミスタ４９ａが設けられている。入口側サーミスタ４８ａは、第１熱交換器４３の循環水流路４３ｂに流入する循環水の温度を検出し、出口側サーミスタ４９ａは、第１熱交換器４３の循環水流路４３ｂから流出する循環水の温度を検出する。なお実際には、各サーミスタ４８ａ，４９ａは水温に応じた検出信号を出力し、この信号がコントローラ１１に入力されることにより水温が検出される。以下においても、サーミスタやセンサが検出するという表現は、実際には、これらの検出信号がコントローラ１１に入力されることにより温度や水の流量を検出することを意味する。また、循環往路接続経路４８には循環ポンプ４８ｂが設けられている。循環ポンプ４８ｂの動作はコントローラ１１により制御される。
【００１５】
貯湯ユニット２０は、貯湯槽２１と混合器２４とを備えている。貯湯槽２１の底部には、貯湯槽２１に水道水を給水する給水経路２２が接続されている。給水経路２２の水道水入口２２ａの近傍には、減圧弁２３が設けられている。減圧弁２３は、下流側圧力が低下すると開き、その圧力を所定の調圧値に維持しようとする。すなわち、減圧弁２３は、貯湯槽２１と混合器２４への給水圧力を調整する。給水経路２２の減圧弁２３より下流側には、混合器２４の混合給水経路２６が接続されている。混合給水経路２６には、混合給水逆止弁２６ａと、給水流量センサ２６ｂと、給水サーミスタ２６ｃが設けられている。混合給水逆止弁２６ａは、混合給水経路２６から給水経路２２への逆流を防止する。給水流量センサ２６ｂと給水サーミスタ２６ｃは、混合給水経路２６を流れる水道水の流量及び温度を検出する。
【００１６】
給水経路２２において、混合給水経路２６の接続部よりも下流側には、給水逆止弁２２ｂが設けられている。給水逆止弁２２ｂは、貯湯槽２１から給水経路２２への逆流を防止する。給水経路２２において、給水逆止弁２２ｂよりも下流側には、排水経路３１が接続されている。排水経路３１の途中には、排水弁３２が設けられている。排水弁３２は手動で開閉することができる。排水弁３２を開くと、貯湯槽２１内の水が排水経路３１を通じて外部に排出される。
【００１７】
貯湯槽２１の底部には、循環往路３３の一端が接続されており、貯湯槽２１の上部には、循環復路３４の一端が接続されている。循環往路３３の他端は、ＨＰ熱源ユニット４０の循環往路接続経路４８に接続されており、循環復路３４の他端は、循環復路接続経路４９に接続されている。循環往路３３には、往路サーミスタ３６が設けられている。往路サーミスタ３６は、貯湯槽２１から循環往路３３に流出した水の温度を検出する。ＨＰ熱源ユニット４０の循環ポンプ４８ｂが駆動すると、貯湯槽２１の下部から循環往路３３に水が吸出され、この水が第１熱交換器４３の循環水流路４３ｂを流れて、循環復路３４を通じて貯湯槽２１の上部に戻される。このようにして、貯湯槽２１とＨＰ熱源ユニット４０との間の循環経路が構成されている。貯湯槽２１では、その上端から所定量（例えば６リットル、１３リットル、３０リットル）の３箇所に上部サーミスタ３９ａ、３９ｂ、３９ｃが取り付けられている。上部サーミスタ３９ａ、３９ｂ、３９ｃは、貯湯槽２１上部の水温を検出する。
【００１８】
貯湯槽２１の上部には、混合器２４の温水経路２５が接続されている。温水経路２５には、温水逆止弁２５ａと、温水流量センサ２５ｂと、温水サーミスタ２５ｃが設けられている。温水逆止弁２５ａは、温水経路２５から貯湯槽２１への逆流を防止する。温水流量センサ２５ｂは、貯湯槽２１から温水経路２５へ流れる水の流量を検出する。温水サーミスタ２５ｃは、温水経路２５を流れる水の温度を検出する。温水経路２５と混合給水経路２６とは合流して第１混合経路２７に接続されている。温水経路２５と混合給水経路２６の合流部には、混合弁２７ｂが設けられている。混合弁２７ｂは、温水経路２５から第１混合経路２７へ流れる水の流量と、混合給水経路２６から第１混合経路２７へ流れる水の流量の割合を調整可能である。混合弁２７ｂの動作はコントローラ１１により制御される。第１混合経路２７には、第１混合経路２７を流れる混合水の温度を検出する混合サーミスタ２７ａが設けられている。
【００１９】
温水経路２５の温水逆止弁２５ａよりも上流側には、圧力開放経路３８が接続されており、圧力開放経路３８には、リリーフ弁３８ａが設けられている。リリーフ弁３８ａの開弁圧力は、減圧弁２３の調圧値よりも僅かに大きく設定されている。減圧弁２３の調圧が不能になった場合には、リリーフ弁３８ａが開き、貯湯槽２１内の圧力が耐圧可能な圧力を超えるのを防止する。すなわち、リリーフ弁３８ａは、貯湯槽２１を過圧から保護する。
【００２０】
貯湯ユニット２０は、第１給湯経路２９を備えている。第１給湯経路２９には、給湯サーミスタ２９ａが設けられている。第１混合経路２７の途中と第１給湯経路２９の途中は、給湯バイパス経路２８によって接続されている。給湯バイパス経路２８には、バイパス制御弁２８ａが設けられている。バイパス制御弁２８ａを開いた状態では、第１混合経路２７を流れた混合水が給湯バイパス経路２８へ流れ、バイパス制御弁２８ａを閉じた状態では、第１混合経路２７を流れた混合水が、後記するガス熱源ユニット５０の第２混合経路５２へ流れる。
【００２１】
ガス熱源ユニット５０は、ガスの燃焼によって水を加熱する燃焼装置６０を備えている。燃焼装置６０には、第２混合経路５２を介して、貯湯ユニット２０の第１混合経路２７からの混合水が流入する。第２混合経路５２には、入水サーミスタ５２ａと給湯水量センサ５２ｂと水量サーボ５２ｃとが設けられている。入水サーミスタ５２ａと給湯水量センサ５２ｂは、それぞれ第２混合経路５２を流れる水の温度及び流量を検出する。水量サーボ５２ｃは、第２混合経路５２を流れる水の流量を調整する。燃焼装置６０で加熱された水は、第２給湯経路５５を介して、貯湯ユニット２０の第１給湯経路２９に流れ込む。第２給湯経路５５には、給湯熱交換器５３の出口近傍に、缶体サーミスタ５６が設けられており、その下流側に出湯サーミスタ５７が設けられている。第２混合経路５２における水量サーボ５２ｃの下流側と、第２給湯経路５５の缶体サーミスタ５６と出湯サーミスタ５７との間には、熱源機バイパス経路５８が接続されている。第２混合経路５２と熱源機バイパス経路５８との接続部には、熱源機バイパス制御弁５９が設けられている。熱源機バイパス制御弁５９の開度を調整することによって、第２混合経路５２を流れる水の一部が熱源機バイパス経路５８に流れ、その水の流量が調整される。
【００２２】
貯湯ユニット２０の第１給湯経路２９は、水栓ユニット８０の高温水経路８４に接続している。水栓ユニット８０は、例えば、浴室、洗面所、台所等に配置されている。水栓ユニット８０では、混合栓８６において、給水経路２２の減圧弁２３よりも上流側から分岐した低温水経路８２と、高温水経路８４が合流している。混合栓８６は、低温水経路８２からの水と高温水経路８４からの水を混合して出水する。低温水経路８２には低温水逆止弁８２ａが設けられている。高温水経路８４には高温水逆止弁８４ａが設けられている。
【００２３】
コントローラ１１は、ＣＰＵ、ＲＯＭ、ＲＡＭ等を備えている。ＲＯＭには各種の運転プログラムが格納されている。ＲＡＭには、コントローラ１１に入力される各種信号や、ＣＰＵが処理を実行する過程で生成される種々のデータが一時的に記憶される。詳細には、ＲＡＭには、上記した各種のサーミスタ２５ｃ，２６ｃ，２７ａ，２９ａ，３６，４８ａ，４９ａ，５２ａ，５６，５７及び水量センサ２５ｂ，２６ｂ，５２ｂの検出信号が入力され、これらの情報が一時的に記憶される。コントローラ１１では、ＣＰＵがＲＯＭやＲＡＭに記憶される情報に基づいて、貯湯ユニット２０及びガス熱源ユニット５０の各制御弁やＨＰ熱源ユニット４０の各種機器等に対して駆動信号を出力する。また、リモコン１３には、給湯システム１０を操作するためのスイッチ１６、給湯システム１０の動作状態を表示する液晶表示器１７等が設けられており、リモコン１３で設定された情報がコントローラ１１に入力される。
【００２４】
（給湯システム１０の動作）
給湯システム１０では、以下のように蓄熱および給湯を行う。
（１）ＨＰ熱源ユニット４０によって貯湯槽２１の水を加熱して高温の温水とし、この温水を貯湯槽２１に貯湯し；
（２）混合器２４で貯湯槽２１の貯水と水道水とを混合して給湯設定温度の混合水となるように調整し；
（３）混合器２４で給湯設定温度に調整された混合水を給湯バイパス経路２８を通じて水栓ユニット８０に給湯する第１給湯運転と、混合器２４で給湯設定温度よりも低い温度に調整された混合水をガス熱源ユニット５０で加熱して水栓ユニット８０に給湯する第２給湯運転の何れかを行う。
【００２５】
まず、ＨＰ熱源ユニット４０を稼働することによって、貯湯槽２１に高温の水が貯湯される。ＨＰ熱源ユニット４０では、圧縮機４１で圧縮されたＨＰ冷媒が、第１熱交換器４３の冷媒流路４３ａを流れる際に循環水流路４３ｂを流れる循環水を加熱する。冷媒流路４３ａから流出したＨＰ冷媒は、膨張弁４４で膨張して冷却され、第２熱交換器４５を流れる際に外気から吸熱して昇温する。昇温したＨＰ冷媒が圧縮機４１に流入して再び圧縮されることによってさらに昇温する。また、ＨＰ熱源ユニット４０では、破線矢印に示すように、第２熱交換器４５を除霜するため、一時的に除霜弁４７ａが開いて圧縮機４１から吐出した高温のＨＰ冷媒が、除霜経路４７を通じて第２熱交換器４５を流れるようにする。
【００２６】
ＨＰ熱源ユニット４０の循環ポンプ４８ｂが作動すると、貯湯ユニット２０では、貯湯槽２１内の水が貯湯槽２１の底部から循環往路３３に吸出される。循環往路３３に吸出された水は、ＨＰ熱源ユニット４０の第１熱交換器４３の循環水流路４３ｂを通過する際に加熱されて温度上昇する。温度上昇した温水は、循環復路３４を流れて貯湯槽２１の上部に戻される。この循環が行われることによって、貯湯槽２１では、冷水層の上部に高温層が積層した温度成層が形成される。貯湯槽２１に高温の温水が戻され続けると、高温層の厚さ（深さ）は次第に大きくなり、最大限に蓄熱された状態では、貯湯槽２１の全体に高温の温水が貯まった状態になる。貯湯槽２１に最大限に蓄熱が行われていなくても、温度成層が形成されることにより、貯湯槽２１の上部に接続されている温水経路２５には、高温の温水が送り出される。
【００２７】
第１給湯運転及び第２給湯運転は以下のようにして行われる。貯湯槽２１の上部サーミスタ３９ａ（または３９ｂ）の検出水温が、リモコン１３で設定されている給湯設定温度よりも高い第１基準温度（例えば給湯設定温度＋５℃）以上である場合には、第１給湯運転が行われる。第１給湯運転では、コントローラ１１がバイパス制御弁２８ａを開状態とし、水量サーボ５２ｃを全閉状態、もしくはほぼ全閉状態に近い所定開度とする。コントローラ１１は、混合サーミスタ２７ａで検出される水温が給湯設定温度となるように、混合弁２７ｂにおける開度を調整する。給湯設定温度に調整された混合水は、第１混合経路２７を流れた後に、給湯バイパス経路２８及び第１給湯経路２９を通じて水栓ユニット８０に供給される。
【００２８】
一方、上部サーミスタ３９ａ（または３９ｂ）の検出水温が第１基準温度未満である場合には、第２給湯運転が行われる。第２給湯運転では、コントローラ１１が、バイパス制御弁２８ａを全閉状態とし、水量サーボ５２ｃを所定開度に設定する。コントローラ１１は、混合サーミスタ２７ａで検出される水温が給湯設定温度よりも低い第２基準温度（例えば給湯設定温度−５℃）となるように、混合弁２７ｂにおける開度を調整する。第２基準温度に調整された混合水は、第１混合経路２７を流れ、ガス熱源ユニット５０の第２混合経路５２を流れて燃焼装置６０により加熱される。
【００２９】
なお、ガス熱源ユニット５０では、缶体サーミスタ５６で検出される水温が６０℃以上となるように、熱源機バイパス制御弁５９の開度が調整される。これにより、配管に結露水が発生することを抑制することができる。第２混合経路５２を流れる混合水の一部が熱源機バイパス経路５８を通じて第２給湯経路５５に流入し、燃焼装置６０からの６０℃以上の水と熱源機バイパス経路５８からの第２基準温度の水とが混合されて、給湯設定温度の水が第１給湯経路２９に送られる。このようにして、給湯設定温度に調温された水が、第１給湯経路２９を通じて水栓ユニット８０に供給される。これにより、第１給湯運転中に貯湯槽２１に貯湯しておいた温水を消費しつくした場合にも、給湯設定温度に調温された温水を給湯し続けることができる。
【００３０】
本実施例の給湯システム１０では、貯湯槽２１、給水経路２２、温水経路２５、混合給水経路２６、第１混合経路２７、給湯バイパス経路２８、第１給湯経路２９等の水圧は、減圧弁２３により水道の給水圧力から減圧された圧力となっている。従って、仮に温水逆止弁２５ａ、混合給水逆止弁２６ａ、給水逆止弁２２ｂを設けない場合、水栓ユニット８０の高温水逆止弁８４ａが故障すると、低温水経路８２からの水道の給水圧により、高温水経路８４、第１給湯経路２９、給湯バイパス経路２８、第１混合経路２７、温水経路２５を水が逆流して、温水経路２５から貯湯槽２１に水が逆流するおそれがある。また、リリーフ弁３８ａが開いて、温水経路２５を逆流する水が圧力開放経路３８から漏洩し続けるおそれがある。さらに、貯湯槽２１から給水経路２２へ水が逆流し、第１混合経路２７から温水経路２５や混合給水経路２６へ水が逆流することで、これらの配管内に想定とは異なる温度の水が滞留してしまうおそれがある。
【００３１】
しかしながら、本実施例の給湯システム１０では、温水経路２５の圧力開放経路３８の接続部よりも下流側に、温水逆止弁２５ａが設けられている。これによって、水栓ユニット８０の高温水逆止弁８４ａが故障した場合でも、温水経路２５における水の逆流を防止し、温水経路２５から貯湯槽２１への水の逆流や、圧力開放経路３８からの水の漏洩を防止することができる。さらに、本実施例の給湯システム１０では、混合給水経路２６に混合給水逆止弁２６ａが設けられており、給水経路２２の混合給水経路２６の接続部よりも下流側に給水逆止弁２２ｂが設けられている。温水逆止弁２５ａ、混合給水逆止弁２６ａ、給水逆止弁２２ｂが設けられていることで、第１混合経路２７から温水経路２５や混合給水経路２６への水の逆流や、貯湯槽２１から給水経路２２への水の逆流を防止し、これらの配管内の水温が想定とは異なるものとなってしまう事態を防ぐことができる。
【００３２】
本実施例の給湯システム１０は、水道に接続された低温水経路８２と、高温水経路８４と、低温水経路８２からの水と高温水経路８４からの水を混合して出水する混合栓８６と、低温水経路８２に設けられた低温水逆止弁８２ａと、高温水経路８４に設けられた高温水逆止弁８４ａを備える水栓ユニット８０に接続して使用される。給湯システム１０は、貯湯槽２１と、水道と貯湯槽２１の間を接続する給水経路２２と、給水経路２２に設けられた減圧弁２３と、貯湯槽２１と高温水経路８４の間を接続する給湯経路（温水経路２５、第１混合経路２７、給湯バイパス経路２８および第１給湯経路２９）と、減圧弁２３より下流側の給水経路２２から分岐して給湯経路に合流する混合給水経路２６を備えている。給湯システム１０では、給湯経路の混合給水経路２６との合流部よりも上流側に第１逆止弁（温水逆止弁２５ａ）が設けられており、混合給水経路２６に第２逆止弁（混合給水逆止弁２６ａ）が設けられており、給水経路２２の混合給水経路２６との分岐部よりも下流側に第３逆止弁（給水逆止弁２２ｂ）が設けられている。
【００３３】
本実施例の給湯システム１０では、給湯経路（温水経路２５、第１混合経路２７、給湯バイパス経路２８および第１給湯経路２９）の第１逆止弁（温水逆止弁２５ａ）よりも上流側に、リリーフ弁３８ａを有する圧力開放経路３８が接続されている。
【００３４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００３５】
１０  給湯暖房システム
１１  コントローラ
１３  リモコン
１６  スイッチ
１７  液晶表示器
２０  貯湯ユニット
２１  貯湯槽
２２  給水経路
２２ａ  水道水入口
２２ｂ  給水逆止弁（第３逆止弁）
２３  減圧弁
２４  混合器
２５  温水経路
２５ａ  温水逆止弁（第１逆止弁）
２５ｂ  温水流量センサ
２５ｃ  温水サーミスタ
２６  混合給水経路
２６ａ  混合給水逆止弁（第２逆止弁）
２６ｂ  給水流量センサ
２６ｃ  給水サーミスタ
２７  第１混合経路
２７ａ  混合サーミスタ
２７ｂ  混合弁
２８  給湯バイパス経路
２８ａ  バイパス制御弁
２９  第１給湯経路
２９ａ  給湯サーミスタ
３１  排水経路
３２  排水弁
３３  循環往路
３４  循環復路
３６  往路サーミスタ
３８  圧力開放経路
３８ａ  リリーフ弁
３９ａ、３９ｂ、３９ｃ  上部サーミスタ
４０  ヒートポンプ熱源ユニット
４１  圧縮機
４２  四方弁
４３  第１熱交換器
４３ａ  冷媒流路
４３ｂ  循環水流路
４４  膨張弁
４５  第２熱交換器
４５ａ  ファン
４６  冷媒配管
４７  除霜経路
４７ａ  除霜弁
４８  循環往路接続経路
４８ａ  入口側サーミスタ
４８ｂ  循環ポンプ
４９  循環復路接続経路
４９ａ  出口側サーミスタ
５０  ガス熱源ユニット
５２  第２混合経路
５２ａ  入水サーミスタ
５２ｂ  給湯水量センサ
５２ｃ  水量サーボ
５３  給湯熱交換器
５５  第２給湯経路
５６  缶体サーミスタ
５７  出湯サーミスタ
５８  熱源機バイパス経路
５９  熱源機バイパス制御弁
６０  燃焼装置
８０  水栓ユニット
８２  低温水経路
８２ａ  低温水逆止弁
８４  高温水経路
８４ａ  高温水逆止弁
８６  混合栓
【図１】
0005887192.tif 000002